(57)【要約】【課題】第１および第２の読取モードのホームポジションが異なる場合に、手動または自動制御で読取光学系の待機位置を切り替えることにより、読取指示から読取開始までの時間を短縮させる。【解決手段】第１の読取モードにおける読取光学系（ＣＳ）１７のホームポジションが第２の読取モードにおけるホームポジションと異なる画像読取装置において、手動切替モードにおいて操作部からのユーザの指示に従い、第１および第２の読取モードのいずれのホームポジションに読取光学系１７を待機させるかを切り替える。手動切替モードに入っていないときは、第１および第２の読取モードのいずれのホームポジションに読取光学系１７を待機させるかを所定の条件に従って自動的に決定する。【選択図】　図１
2004109349.tif 000002
【特許請求の範囲】
【請求項１】
読取光学系を移動させて原稿台上の原稿を読み取る第１の読取モードと、固定された前記読取光学系に対して原稿を移動させながら原稿を読み取る第２の読取モードとを有し、前記第１の読取モードにおける読取光学系のホームポジションが前記第２の読取モードにおけるホームポジションと異なる画像読取装置であって、
前記読取光学系を少なくとも前記第１の読取モードのホームポジションと前記第２の読取モードのホームポジションとの間で移動させる手段と、
ユーザ操作を受け付ける操作部と、
手動切替モードにおいて前記操作部からのユーザの指示に従い、前記第１および第２の読取モードのいずれのホームポジションに前記読取光学系を待機させるかを切り替える手段と、
を備えたことを特徴とする画像読取装置。
【請求項２】
前記手動切替モードに入るか否かを切り替える手段と、
前記手動切替モードに入っていないとき、前記第１および第２の読取モードのいずれのホームポジションに前記読取光学系を待機させるかを所定の条件に従って自動的に決定する手段とを備えたことを特徴とする請求項１記載の画像読取装置。
【請求項３】
給紙トレイ上に載置された原稿束を１枚ずつ原稿台に搬送していく、原稿台カバーを兼ねた自動原稿搬送手段と、
前記給紙トレイ上の原稿束を検知する原稿検知手段と、
前記自動原稿搬送手段の開閉を検知する原稿台カバー開閉手段とを備え、
前記所定の条件として、前記原稿検知手段が原稿束を検知し、前記原稿台カバー開閉検知手段がカバー閉鎖を検知している場合は、自動的に前記第２の読取モードを選択し、前記第２のホームポジションを前記読取光学系の待機位置とすることを特徴とする請求項２記載の画像読取装置。
【請求項４】
給紙トレイ上に載置された原稿束を１枚ずつ原稿台に搬送していく、原稿台カバーを兼ねた自動原稿搬送手段と、
前記給紙トレイ上の原稿束を検知する原稿検知手段と、
前記自動原稿搬送手段の開閉を検知する原稿台カバー開閉手段とを備え、
前記所定の条件として、前記原稿台カバー開閉検知手段が前記原稿台カバーの開放を検知した状態で、前記原稿検知手段が原稿束を検知していない場合は、自動的に前記第１の読取モードを選択し、前記第１のホームポジションを前記読取光学系の待機位置とすることを特徴とする請求項２記載の画像読取装置。
【請求項５】
請求項１〜４のいずれかに記載の画像読取装置と、この読取結果を印刷するプリンタ部とを備えたことを特徴とする画像形成装置。
【発明の詳細な説明】
【０００１】
【発明の属する技術分野】
本発明は、自動原稿搬送装置より給紙、搬送された原稿の画像あるいは原稿台にセットされた原稿の画像を読取光学系で読み取る画像読取装置およびこれを用いた画像形成装置に関するものである。
【０００２】
【従来の技術】
このような画像読取装置において、原稿自動搬送装置（ＡＤＦともいう）から読取動作を行う際、読取光学系をＡＤＦに組み込まれたプラテンローラ下方に位置させる必要がある。このような読取光学系を固定してＡＤＦにより原稿を搬送して読み取るモードをシート読取モードと呼ぶ。これに対して、原稿台ガラス上に原稿を載置し、原稿台ガラスの下側で読取光学系を走査することにより原稿読取を行うモードをブック読取モードと呼ぶ。これは後者の読取モードが厚みのある本（ブック）の読取に適することによる。ＡＤＦを備えた画像読取装置では、ユーザは両方の読取モードのうち、所望の一方を選択して利用することができる。
【０００３】
ところで、装置各部の筐体内配置上の制約やユーザ操作上の要請等により、シート読取モードとブック読取モードとで、読取光学系のホームポジション（ブック読取モードでは走査スタート位置）が異なる場合が多い。この場合、ＡＤＦからの画像読み取りでは、読取指示の発生時に、ブック読取モードのホームポジションからシート読取モードのホームポジション（すなわちプラテンローラの位置）まで読取光学系が移動し、その後、ＡＤＦからの給紙が始まり原稿の読取が行われる。
【０００４】
【発明が解決しようとする課題】
上記のように、読取光学系をプラテンローラ下方位置へ移動するタイミングを、読取指示発生時としているため、読取時は読取光学系がブック読取モードにおけるホームポジション（ブックホームポジションという）からシート読取モードにおけるホームポジション（シートホームポジションという）まで移動する必要がある。そのために読取開始までに時間がかかっていた。読取光学系がブックホームポジションにないときには、一旦読取光学系をブックホームポジションに戻し、さらにその後シートホームポジションまで移動させるので、余計に時間がかかっていた（従来、シートホームポジションはブックホームポジションを基準に位置決めされるため）。
【０００５】
本発明は、第１および第２の読取モードのホームポジションが異なる場合に、手動または自動制御で読取光学系の待機位置を切り替えることにより、読取指示から開始までの時間を短縮させることができる画像読取装置および画像形成装置を提供することを目的とする。
【０００６】
【課題を解決するための手段】
本発明による画像読取装置は、読取光学系を移動させて原稿台上の原稿を読み取る第１の読取モードと、固定された前記読取光学系に対して原稿を移動させながら原稿を読み取る第２の読取モードとを有し、前記第１の読取モードにおける読取光学系のホームポジションが前記第２の読取モードにおけるホームポジションと異なる画像読取装置であって、前記読取光学系を少なくとも前記第１の読取モードのホームポジションと前記第２の読取モードのホームポジションとの間で移動させる手段と、ユーザ操作を受け付ける操作部と、手動切替モードにおいて前記操作部からのユーザの指示に従い、前記第１および第２の読取モードのいずれのホームポジションに前記読取光学系を待機させるかを切り替える手段とを備えたことを特徴とする。
【０００７】
本発明では、読取光学系の待機位置を第１および第２の読取モードの一方のホームポジションに固定しておくのではなく、ユーザの意思により所望のホームポジションを待機位置として設定できる。したがって、例えばユーザにとって使用頻度の高い方の読取モードのホームポジションを待機位置とする等の措置により、読取指示から読取開始までに掛かる時間を総体的に短縮することが可能となる。
【０００８】
上記画像読取装置において、さらに、前記手動切替モードに入るか否かを切り替える手段と、前記手動切替モードに入っていないとき、前記第１および第２の読取モードのいずれのホームポジションに前記読取光学系を待機させるかを所定の条件に従って自動的に決定する手段とを備えてもよい。
【０００９】
手動切替モードでは手動切替設定が有効に維持されるが、手動切替モードに入っていない場合には、所定の条件で装置が自動的により適切と推測される側のホームポジションを待機位置として決定する。これにより、ユーザは何ら特別な操作を行うことなく、通常の画像読取においてユーザが採る行為を判断基準として、より適切な待機位置を自動決定することができる。
【００１０】
具体的には、給紙トレイ上に載置された原稿束を１枚ずつ原稿台に搬送していく、原稿台カバーを兼ねた自動原稿搬送手段と、前記給紙トレイ上の原稿束を検知する原稿検知手段と、前記自動原稿搬送手段の開閉を検知する原稿台カバー開閉手段とを備え、前記所定の条件として、前記原稿検知手段が原稿束を検知し、前記原稿台カバー開閉検知手段がカバー閉鎖を検知している場合は、自動的に前記第２の読取モードを選択し、前記第２のホームポジションを前記読取光学系の待機位置とする。あるいは、前記所定の条件として、前記原稿台カバー開閉検知手段が前記原稿台カバーの開放を検知した状態で、前記原稿検知手段が原稿束を検知していない場合は、自動的に前記第１の読取モードを選択し、前記第１のホームポジションを前記読取光学系の待機位置とする。
【００１１】
本発明は、上記いずれかの画像読取装置と、この読取結果を印刷するプリンタ部を備えた画像形成装置としても把握しうる。
【００１２】
【発明の実施の形態】
以下、本発明の好適な実施の形態について、図面を用いて詳細に説明する。
【００１３】
本実施の形態では、自動原稿搬送手段としての自動原稿搬送装置（ＡＤＦ）を用いた画像読取装置を、この読取結果を印刷するプリンタ部と一体に構成した画像形成装置について説明する。
【００１４】
図１は、本実施の形態に係る画像読取装置のＡＤＦカバーおよび読取装置本体の概略構成を示す図である。
【００１５】
図１において、ＡＤＦカバー本体８は、読取装置本体１９の上面において、後辺を支持軸として開閉可能に支持され、透明な板状部材からなる原稿台１４上に載置される原稿を押圧する圧板として機能する。ブック読取モードにおいて、原稿台１４上に載置された原稿は、読取装置本体１９内の読取光学系としてのコンタクトセンサ（ＣＳ）１７により原稿台１４下を走査されて読み取られる。また、シート読取モードにおいて、ＡＤＦカバー本体８は、給紙トレイ１２に載置された原稿束を１枚ずつ搬送ローラ１１により自動的に給紙し、プラテンローラ１０を経由して、排紙トレイ１３上に排紙する。この間に、プラテンローラ１０の直下に移動したＣＳ１７により、搬送される原稿が流し読みされる。ブック読取モード（第１の読取モード）におけるＣＳ１７のホームポジション（図では左端）には、ブックホームポジションセンサ１６が配置されている。ブックホームポジションセンサ１６は、ＣＳ１７がブックホームポジションに位置していることを確認するためのセンサである。一方、プラテンローラ１０の直下の原稿台１４下にはシートホームポジションセンサ１８が配置されている。このシートホームポジションセンサ１８は、ＣＳ１７がシート読取モード（第２の読取モード）のホームポジションに位置していることを確認するためのセンサである。ＡＤＦカバー本体８には、給紙トレイ１２の給紙口にＡＤＦ原稿センサ９が配置されている。このＡＤＦ原稿センサ９は、給紙トレイ１２に原稿がセットされていることを確認するためのセンサである。読取装置本体１９の左端上部には、ＡＤＦカバー開閉センサ１５が配置されている。ＡＤＦカバー開閉センサ１５は、ＡＤＦカバー本体８が読取装置本体１９に対して開放された状態にあるか否かを判断するためのセンサである。
【００１６】
図２は、本発明による画像読取装置をプリンタ部と組み合わせて構成した画像形成装置の動作を制御する制御部の構成を示すブロック図である。ＣＰＵ、ＲＯＭ等を含むコントローラ（制御手段）１００を中心として、これに、ＡＤＦ原稿センサ９、ＡＤＦカバー開閉センサ１５、読取光学系としてのコンタクトセンサ（ＣＳ）１７、シートホームポジションセンサ１８、ＡＤＦ排紙センサ２１、画像形成部２３、ＡＤＦを駆動するＡＤＦモータ２５、ＣＳ１７を移動させるためのＣＳ駆動用モータ２６、各種モードの設定状態等の各種データを記憶する記憶部２８、および操作部３０等が接続されている。ＡＤＦ排紙センサ２１は、図１に図示しなかったが、ＡＤＦの給紙トレイ１２から給紙、搬送された原稿が排紙トレイ１３に排紙されたことを検知するためのセンサである。操作部３０は、オペレーションパネルとして用意され、ユーザが指示操作を行うキー入力部３１と、ユーザへのメッセージ等を表示する液晶表示部（ＬＣＤ）３２とを有している。
【００１７】
図３は、本実施の形態に係る操作部３０のオペレーションパネルの概略の外観図である。このオペレーションパネルは、表示部としてのＬＣＤ３２、およびキー入力部３１を構成する各種のキー（ここでは、選択キー２、選択キー３、セットキー４、手動切替モードキー５、スタートキー６、ストップキー７等）を有する。選択キー２，３は、ＬＣＤ３２上のカーソルの移動やメニューの切り替え等を行うプッシュキーである。セットキー４はＬＣＤ３２上に表された設定に対する決定を行うためのプッシュキーである。手動切替モードキー５は、本実施の形態においてホームポジションの位置を切り替えるためのプッシュキーである。この例では、手動切替モードキー５は、押圧されると発光するいわゆる自光キーである。スタートキー６は読取動作を開始させるためのプッシュキーである。ストップキー７はＬＣＤ上の設定画面をスタンバイ画面に戻したり、読取動作をキャンセルしたりするためのプッシュキーである。
【００１８】
ここで、本発明との対比のために、図１を用いて、従来の画像読取装置の動作について簡単に説明する。
【００１９】
従来の動作の流れとしては、ブックホームポジションセンサ１６の位置が読取光学系の待機位置である場合は、ユーザが原稿台１４に原稿をセットしてスタートキー６で読取動作を開始すると、ブックホームポジションセンサ１６の位置からＣＳ１７が移動を開始し、原稿台１４にセットされた原稿を読み取って、再度ブックホームポジションセンサ１６の位置まで戻って待機する。この状態から、ユーザが給紙トレイ１２に原稿束をセットし、スタートキー６を押下すると、ＣＳ１７はシートホームポジションセンサ１８の位置まで移動して停止し、給紙トレイ１２から給紙されてくる原稿を読み取り、その後、再度ブックホームポジションセンサ１６の位置まで戻り待機する。逆に、シートホームポジションセンサ１８の位置がホームポジションである場合には、シートホームポジションセンサ１８がＣＳ１７を検知し待機している状態になり、給紙トレイ１２に原稿束をセットし読取動作を開始すると、ＣＳ１７は動かず原稿を読み取って、読み取り終了後、待機状態に移る。その状態で、ユーザが原稿台１４に原稿をセットしてから読取動作を開始すると、ＣＳ１７はまずブックホームポジションセンサ１６の位置まで移動し、その後、原稿の下面を照射しながら移動して原稿を読み取っていき、そのままシートホームポジションセンサ１８まで移動して待機する。
【００２０】
このように、従来はいずれをホームポジションとしても、現在のホームポジションと異なる側のホームポジションを利用する読取モードでの、読取指示から読取開始までに時間を要することとなる。
【００２１】
これに対して、以下、本実施の形態の動作について説明する。
【００２２】
まず図４により、本実施の形態における手動切替モードについて説明する。図４（ａ）は、ユーザがオペレーションパネル上の手動切替モードキー５を押下したときのＬＣＤ画面例を示している。この状態で、手動切替モードキー５が発光し、制御が手動切替モードに入っていることが示される。手動切替モードキー５は発光している状態で再度押下されると消灯し、手動切替モードから抜け出す。図の例では、手動切替モードにおいて、現在「ブック」が反転表示され、ブック読取モードが選択されているが分かる。この状態でユーザが選択キー３を押すと、図４（ｂ）に示すように、「シート」が反転表示される。この状態でセットキー４を押すと、ＣＳがシートホームポジションまで移動して、シート読取モードが設定される。この例では、手動により読取モードが設定された後は、解除されるまで手動による手動切替モードが維持される。例えば、切替キーが押下され発光している間、手動設定状態が維持される。この代わりに、手動切替モードキー５は切替操作の際にのみ発光し、セットキー４の押下により消灯するようにしてもよい。この場合、図示しない別の操作によって、手動による手動切替モードが解除される。いずれにせよ、現在いずれの読取モードが選択されているかをユーザが認識できるように、テキスト表示、インジケータ表示等により表示することが好ましい。なお、読取モードの設定は、選択キーと設定キーの２段階で行うようにしたが、選択キーのみで設定できるようにしてもよい。
【００２３】
図５に、本実施の形態における読取モードの設定に関する処理のフローチャートを示す。
【００２４】
まず、読取光学系の現在の待機位置を確認する（Ｓ１１）。現在の待機位置がシートホームポジションに設定されていれば（Ｓ１２，Ｙｅｓ）、手動切替モードキーまたは実行キーの入力があるかどうかを判断する（Ｓ１３）。手動切替モードキーの入力があった場合には手動切替モードに入り、実行キー入力があった場合には読取動作を開始する（Ｓ２０）。手動切替モードの具体的な処理については後述する。
【００２５】
手動切替モードキーまたは実行キーの入力がない場合には、原稿台上へのブック原稿等の載置によりＡＤＦカバーが開放されているか否かをチェックする（Ｓ１４）。開放されているならば、ＡＤＦ原稿センサの出力をチェックしてＡＤＦの給紙トレイ１２に原稿が載置されているかどうかをチェックする（Ｓ１５）。ＡＤＦカバーが開放されていなければ、ステップＳ１３に戻る。ＡＤＦカバーが開放されているときにＡＤＦ原稿センサが原稿を検知している場合、ＡＤＦが利用される可能性が高いと考えて、シートホームポジション設定のままとする。ＡＤＦカバーが開放されているときにＡＤＦ原稿センサが原稿を検知していない場合には、ブック読取が行われる可能性が高いと判断する。そこで、シートホームポジションセンサをチェックし（Ｓ１６）、このセンサがＯＮであることを確認する。ＯＮでなければ、ＣＳが移動中と判断してＣＳを一旦停止させる（Ｓ１７）。そこで、読取モードをブック読取モードとして、ブックホームポジションセンサまでＣＳを移動させる（Ｓ１８）。さらに、ブックホームポジションを現在の待機位置として記憶する（Ｓ１９）。その後、スタンバイ状態に戻る。
【００２６】
ステップＳ１２で、現在の待機位置設定がシートホームポジションではない、すなわち、ブックホームポジションの場合、手動切替モードキーまたは実行キーの入力があるかどうかを判断する（Ｓ２１）。手動切替モードキーの入力があった場合には手動切替モードに入り、実行キー入力があった場合には読取動作を開始する（Ｓ２０）。手動切替モードキーまたは実行キーの入力がない場合には、ＡＤＦ原稿センサをチェックする（Ｓ２２）。ＡＤＦ原稿が検知されない場合、ブック読取モードのままとする。ＡＤＦ原稿が検知された場合、ＡＤＦカバーの開放状態をチェックする（Ｓ２３）。ＡＤＦカバーが開放されていれば、ブック読取モードが利用される可能性が高いと判断して、読取モードをそのままとする。ＡＤＦ原稿が検知され、かつ、ＡＤＦカバーが開放されていない場合には、シート読取モードが利用される可能性が高いと判断する。そこで、まず、ブックホームポジションセンサをチェックする（Ｓ２４）。このセンサがＯＮでなければ、ＣＳが移動中と判断して、一旦ＣＳを停止させる（Ｓ２５）。そこで、読取モードをシート読取モードに設定して、シートホームポジションセンサまでＣＳを移動させる（Ｓ２６）。さらに、シートホームポジションを現在の待機位置として記憶する（Ｓ２７）。その後、スタンバイ状態に戻る。
【００２７】
図６に、図５のステップＳ２０内の手動切替モードの処理の詳細のフローチャートを示す。
【００２８】
この処理では、まず、手動切替モードキーを点灯させる（Ｓ３１）。そこでキー入力待ち状態となる（Ｓ３２）。その後、ストップキーが入力されたら（Ｓ３３，Ｙｅｓ）、この処理を終了する。選択キーが入力されたときには（Ｓ３４，Ｙｅｓ）、選択されたメニュー項目を反転表示し（Ｓ３５）、さらにキー入力待ちとなる。その後、セットキーが入力されたら（Ｓ３６，Ｙｅｓ）、指定されたホームポジションと現在の待機位置とを比較する（Ｓ３７）。両者が一致したら（Ｓ３８，Ｙｅｓ）、画面に「設定されています」のようなメッセージを表示して（Ｓ３９）、本処理を終了する。不一致であれば、現在の待機位置を確認する（Ｓ４０）。現在の待機位置がシートホームポジションであれば、ブックホームポジションセンサを確認し（Ｓ４１）、ＯＮでなければＣＳを停止させる（Ｓ４２）。そこで、読取モードをシート読取モードに設定して、シートホームポジションセンサまでＣＳを移動させる（Ｓ４３）。さらに、シートホームポジションを現在の待機位置として記憶する（Ｓ４４）。その後、本処理を終了する。
【００２９】
ステップＳ４０でシートホームポジションが指定されていない、すなわちブックホームポジションが指定されている場合、シートホームポジションセンサがＯＮであることを確認し（Ｓ４５）、ＯＮでなければＣＳを停止させる（Ｓ４６）。そこで、読取モードをブック読取モードとして、ブックホームポジションセンサまでＣＳを移動させる（Ｓ４７）。さらに、ブックホームポジションを現在の待機位置として記憶する（Ｓ４８）。その後、本処理を終了する。
【００３０】
以上、本発明の好適な実施の形態について説明したが、上記で言及した以外にも種々の変形、変更を行うことが可能である。例えば、上記画像読取装置を、さらに、ファクシミリ送信を行うＦＡＸ部等と組み合わせることも可能である。また、読取結果をデータとして外部に出力する単独のスキャナ装置に本発明を適用することも可能である。
【００３１】
【発明の効果】
本発明によれば、第１および第２の読取モードにおける読取光学系のホームポジションが異なっていても、読取動作を開始する前に、手動または自動制御で読取光学系を希望のホームポジションで待機させることができる。これにより、読取開始指示から読取開始までの時間を短縮できる。
【図面の簡単な説明】
【図１】本発明の実施の形態に係る画像読取装置のＡＤＦカバーおよび読取装置本体の概略構成を示す図である。
【図２】本発明による画像読取装置をプリンタ部と組み合わせて構成した画像形成装置の動作を制御する制御部の構成を示すブロック図である。
【図３】本発明の実施の形態に係るオペレーションパネルの概略の外観図である。
【図４】本発明の実施の形態における手動切替モードについての説明図である。
【図５】本発明の実施の形態における読取モードの設定に関する処理を示すフローチャートである。
【図６】図５のステップＳ２０内の手動切替モードの処理の詳細を示すフローチャートである。
【符号の説明】
２，３　選択キー
４　セットキー
５　手動切替モードキー
６　スタートキー
７　ストップキー
８　ＡＤＦカバー本体
９　ＡＤＦ原稿センサ
１０　プラテンローラ
１１　搬送ローラ
１２　給紙トレイ
１３　排紙トレイ
１４　原稿台
１５　ＡＤＦカバー開閉センサ
１６　ブックホームポジションセンサ
１７　コンタクトセンサ（ＣＳ：光学読取系）
１８　シートホームポジションセンサ
１９　読取装置本体
２１　ＡＤＦ排紙センサ
２３　画像形成部
２５　ＡＤＦモータ
２６　ＣＳ駆動用モータ
２８　記憶部
３０　操作部
３１　キー入力部
３２　液晶表示部（ＬＣＤ）
【図１】
2004109349.tif 000003
【図２】
2004109349.tif 000004
【図３】
2004109349.tif 000005
【図４】
2004109349.tif 000006
【図５】
2004109349.tif 000007
【図６】
2004109349.tif 000008